(57)【要約】【課題】足首をニュートラルな正規の位置に近付くように正して、矯正が必要な複数の足関節をトータルで矯正し、美脚効果を発揮ができる足関節矯正靴下を提供する。【解決手段】靴下本体の本体布地よりも伸縮強度の強い難伸縮性布地３により足関節を締め付けて矯正する足関節矯正靴下１を前提とする。難伸縮性布地３は、各足指４のＭＰ関節４１を周方向へ締め付ける引っ張り強さにより矯正する環状の第１布地片３１と、各足指４のショパール関節４２を周方向へ締め付ける引っ張り強さにより矯正する環状の第２布地片３２と、第１布地片３１及び第２布地片３２に対し両端を足の内側及び外側でそれぞれ連結し、ＭＰ関節４１とショパール関節４２とを互いに引き寄せる方向へ締め付ける引っ張り強さにより矯正する内外一対の帯状の第３布地片３３と、第２布地片に対し連結され、距骨下関節４３を踵側へ締め付ける引っ張り強さにより矯正する環状の第４布地片３４とを備えている。【選択図】図４
2018047334.tif 000002
【特許請求の範囲】
【請求項１】
靴下本体の本体布地よりも伸縮強度の強い難伸縮性布地を備え、この難伸縮性布地により足関節を締め付けて矯正する足関節矯正靴下であって、
前記難伸縮性布地は、
前記足関節のうちの各足指のＭＰ関節を周方向から締め付ける引っ張り強さによって矯正する環状の第１布地片と、
前記足関節のうちの各足指のショパール関節を周方向から締め付ける引っ張り強さによって矯正する環状の第２布地片と、
前記第１布地片及び前記第２布地片に対し両端を足の内側及び外側でそれぞれ連結し、前記ＭＰ関節と前記ショパール関節とを互いに引き寄せる方向へ締め付ける引っ張り強さによって矯正する内外一対の帯状の第３布地片と、
を備えていることを特徴とする足関節矯正靴下。
【請求項２】
前記難伸縮性布地は、前記第２布地片に対し連結され、かつ前記足関節のうちの距骨下関節を踵側へ締め付ける引っ張り強さによって矯正する第４布地片を備えている請求項１に記載の足関節矯正靴下。
【請求項３】
前記各布地片は、前記本体布地が存在しない無布地領域に設けられ、前記本体布地の端縁に対し繋げられている請求項１又は請求項２に記載の足関節矯正靴下。
【請求項４】
前記各布地片は、前記本体布地が存在する有布地領域に設けられ、前記本体布地の表面又は裏面に対し取り付けられている請求項１又は請求項２に記載の足関節矯正靴下。
【発明の詳細な説明】
【技術分野】
【０００１】
本発明は、足首をニュートラルな正規の位置に近付くように正して複数の足関節をトータルで矯正する足関節矯正靴下に関する。
【背景技術】
【０００２】
一般に、足のトラブルの原因としては、足を構成する骨同士の間の足関節の変位などが一つの要因として挙げられる。その場合、足のトラブル自体が、人それぞれに個々に異なるものであるため、複数の足関節の個々の部位に応じた局所的な矯正によって対処することが行われている。
【０００３】
一例としては、靴下本体の本体布地よりも伸縮強度の強い難伸縮性布地が爪先部と踵部との間に設けられた足関節矯正靴下を装着し、その難伸縮性布地によって周方向から締め付ける引っ張り強さによって爪先部と踵部との間の広い範囲で矯正するようにしたものが知られている（例えば、特許文献１参照）。
【先行技術文献】
【特許文献】
【０００４】
【特許文献１】特開第５１６４２７２号公報
【発明の概要】
【発明が解決しようとする課題】
【０００５】
ところで、爪先部と踵部との間の広い範囲に亘って周方向から締め付けると、爪先部と踵部との間の広い範囲に位置する複数の足関節が環状の難伸縮性布地によって均一に締め付けられてしまう。そのため、複数の足関節が個々にとって最適な方向から局部的に締め付けることができず、各足関節に応じたトータルな矯正が行えない上、矯正の不要な他の正常な足関節にも周方向から締め付ける引っ張り強さが同様に作用して悪影響を及ぼすおそれがあり、美脚効果も発揮できず、その対策が切望されていた。
【０００６】
本発明は、かかる点に鑑みてなされたものであり、その目的とするところは、足首をニュートラルな正規の位置に近付くように正し、矯正の不要な正常な足関節に悪影響を及ぼすことなく、矯正が必要な複数の足関節をトータルで矯正することができ、美脚効果を発揮することができる足関節矯正靴下を提供することにある。
【課題を解決するための手段】
【０００７】
前記目的を達成するため、本発明では、 靴下本体の本体布地よりも伸縮強度の強い難伸縮性布地を備え、この難伸縮性布地により足関節を締め付けて矯正する足関節矯正靴下を前提とする。そして、前記難伸縮性布地は、前記足関節のうちの各足指のＭＰ関節を周方向から締め付ける引っ張り強さによって矯正する環状の第１布地片と、前記足関節のうちの各足指のショパール関節を周方向から締め付ける引っ張り強さによって矯正する環状の第２布地片と、前記第１布地片及び前記第２布地片に対し両端を足の内側及び外側でそれぞれ連結し、前記ＭＰ関節と前記ショパール関節とを互いに引き寄せる方向へ締め付ける引っ張り強さによって矯正する内外一対の帯状の第３布地片と、を備えることを特徴としている。
【０００８】
更に、前記難伸縮性布地は、前記第２布地片に対し連結され、かつ前記足関節のうちの距骨下関節を踵側へ締め付ける引っ張り強さによって矯正する第４布地片を備えていてもよい。
【０００９】
また、前記各布地片は、前記本体布地が存在しない無布地領域に設けられ、前記本体布地の端縁に対し繋げられていてもよい。
【００１０】
これに対し、前記各布地片は、前記本体布地が存在する有布地領域に設けられ、前記本体布地の表面又は裏面に対し取り付けられていてもよい。
【発明の効果】
【００１１】
以上、要するに、環状の第１布地片によって各足指のＭＰ関節を締め付けて横アーチを形成すると共に、環状の第２布地片によって各足指のショパール関節を締め付けて横アーチを形成することで、各足指が開く原理を利用して当該各足指を正規の位置に近付けるように矯正する。また、左右一対の帯状の第３布地片によって各足指のＭＰ関節とショパール関節との間においてそれぞれ締め付けて足の内外両位置で縦アーチを形成することで、各足指のＭＰ関節とショパール関節との間を足の内外両位置からそれぞれ近付けるように矯正する。
【００１２】
このため、第１，第２布地片による各足指のＭＰ関節及びショパール関節での横アーチと、各第３布地片による各足指のＭＰ関節とショパール関節との間での内外両位置の縦アーチとの相互作用によって、足首が外反でも内反でもないニュートラルな正規の位置に近付くように正される。つまり、踵骨が外側に倒れている場合は内側へ戻され、踵骨が内側に倒れている場合は外側へ戻される。
このとき、股関節を通る左右の重心線が脛骨の中心を通るように膝が内側に入る。これにより、矯正の不要な正常な足関節に悪影響を及ぼすことなく、矯正が必要な複数の足関節をトータルで矯正することができ、美脚効果を発揮することができる。
【００１３】
更に、第２布地片に対し連結した第４布地片によって足関節のうちの距骨下関節を踵側へ締め付けて矯正することで、第１，第２布地片による各足指のＭＰ関節及びショパール関節での横アーチと、各第３布地片による各足指のＭＰ関節とショパール関節との間での内外両位置の縦アーチとの相互作用と相俟って、踵骨が積極的に起き上がり、踵骨の外側への倒れが内側へスムーズに戻されて足首が外反でも内反でもないニュートラルな正規の位置に近付くように正され、股関節を通る左右の重心線が脛骨の中心に近付くようになる。これにより、矯正が必要な複数の足関節をより効果的にトータルで矯正することができ、美脚効果をより一層発揮することができる。
【００１４】
また、本体布地の無布地領域に設けた各布地片を本体布地の端縁に対し繋げることで、本体布地と各布地片とが互いに表裏方向で重なり合うことなく分離され、厚みを最小限に抑えることができる。
【００１５】
これに対し、本体布地の有布地領域に設けた各布地片を本体布地の表面又は裏面に対し取り付けることで、各布地片を本体布地の最適の領域に設定することが可能となる上、各布地片を本体布地の有布地領域に簡単に取り付けることができる。
【図面の簡単な説明】
【００１６】
【図１】本発明の実施の形態に係る足関節矯正靴下を左右方向内側から見た内側側面図である。
【図２】図１の足関節矯正靴下を左右方向外側から見た外側側面図である。
【図３】図１の足関節矯正靴下を使用状態で上方から見た平面図である。
【図４】図１の足関節矯正靴下を複数の足関節が透視された足に装着した状態での一側面図である。
【図５】図１の足関節矯正靴下を複数の足関節が透視された足に装着した状態での両下肢全体の斜視図である。
【図６】左右の脚の骨と左右の重心線との関係を正面側から見た図を示し、（ａ）は矯正を不要とする正常な左右の脚の骨と左右の重心線との関係を説明する説明図、（ｂ）は矯正を要するＯ脚な左右の脚の骨と左右の重心線との関係を説明する説明図である。
【図７】本実施の形態の変形例に係る足関節矯正靴下を左右方向内側から見た内側側面図である。
【発明を実施するための形態】
【００１７】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００１８】
図１は本発明の実施の形態に係る足関節矯正靴下を左右方向内側から見た内側側面図、図２は足関節矯正靴下を左右方向外側から見た外側側面図、図３は足関節矯正靴下を使用状態で上方から見た平面図をそれぞれ示している。
【００１９】
図１〜図３に示すように、足関節矯正靴下１は、靴下本体１０の本体布地２と、この本体布地２よりも伸縮強度の強い難伸縮性布地３とを備えている。本体布地２は、図示しないが、表糸（例えば１６６デニールの綿アクリル混紡糸）と、芯糸（例えば２６０デニールのポリウレタンゴムの糸）及び２本のカバーリング糸（７５デニールのポリエステル糸）よりなる裏糸とで編成されている。一方、難伸縮性布地３は、図示しないが、表糸（１４０デニールのナイロン糸）と、芯糸（例えば２６０デニールのポリウレタンゴムの糸）及び２本のカバーリング糸（７５デニールのポリエステル糸）よりなる裏糸とで編成されている。
【００２０】
本体布地２は、爪先部分２１と、足甲部分２２と、足裏部分２３と、踵部分２４と、口ゴム２５に連続する足挿入口部分２６とを備えている。足甲部分２２、足裏部分２３、及び足挿入口部分２６は、平編みにより編成されている。一方、爪先部分２１及び踵部分２４は、平編みに比して丈夫なパイル編みにより編成されている。
【００２１】
図４は足関節矯正靴下１を複数の足関節が透視された足に装着した状態での一側面図、図５は足関節矯正靴下１を複数の足関節が透視された足に装着した状態での両下肢全体の斜視図をそれぞれ示している。
【００２２】
図４及び図５に示すように、難伸縮性布地３は、各足指４のＭＰ関節４１，４１，…を周方向から締め付ける引っ張り強さ（例えば５０ｈｐａ）によって矯正する環状の第１布地片３１を備えている。この第１布地片３１は、本体布地２が存在しない無布地領域、つまり爪先部分２１と足甲部分２２及び足裏部分２３との間の無布地領域に設けられ、爪先部分２１の後端縁、並びに足甲部分２２及び足裏部分２３の前端縁に対し繋げられるようにタック編みにより編成されている。そして、第１布地片３１は、各足指４のＭＰ関節４１の締め付けによって、前足部において左右方向への横アーチを形成している。この場合、第１布地片３１は、前後方向の幅が３２ｍｍに設定され、周方向の長さが１８４ｍｍに設定された男性用と１７４ｍｍに設定された女性用とで互いのサイズが異なっており、伸び率としては６４〜７２％程度であると想定される。
【００２３】
また、難伸縮性布地３は、各足指４のショパール関節４２，４２，…を周方向へ締め付ける引っ張り強さ（例えば２４ｈｐａ）によって矯正する環状の第２布地片３２を備えている。この第２布地片３２は、本体布地２が存在しない無布地領域、つまり足甲部分２２及び足裏部分２３と踵部分２４との間の無布地領域に設けられ、足甲部分２２及び足裏部分２３の後端縁、並びに踵部分２４の前端縁に対し繋げられるようにタック編みにより編成されている。そして、第２布地片３２は、各足指４のショパール関節４２の締め付けによって、後足部において左右方向への横アーチを形成している。この場合、第２布地片３２は、周方向の長さが１８０ｍｍに設定され、前後方向の幅が１６ｍｍに設定された男性用と１５ｍｍに設定された女性用とで互いのサイズが異なっており、伸び率としては９０〜９８％程度であると想定される。
【００２４】
更に、難伸縮性布地３は、第１布地片３１及び第２布地片３２に対し前後両端を足の内側及び外側でそれぞれ連結し、かつ各足指４のＭＰ関節４１とショパール関節４２とを互いに引き寄せる方向へ締め付ける引っ張り強さ（例えば２４ｈｐａ）によって矯正する内外一対の帯状の第３布地片３３，３３を備えている。この各第３布地片３３は、本体布地２が存在しない無布地領域、つまり足甲部分２２と足裏部分２３との間の無布地領域に設けられ、足甲部分２２の内外両下端縁及び足裏部分２３の内外両上端縁に対し繋げられるようにタック編みにより編成されている。そして、各第３布地片３３は、各足指４のＭＰ関節４１とショパール関節４２との間での内外両側からの締め付けによって、内外両側において足底前後方向への縦アーチを形成している。この場合、各第３布地片３３は、上下方向の幅が２１ｍｍに設定され、前後方向の長さが７８ｍｍに設定された男性用と５０ｍｍに設定された女性用とで互いのサイズが異なっており、伸び率としては６〜１４％程度であると想定される。
【００２５】
そして、難伸縮性布地３は、第２布地片３２に対し連結し、かつ距骨下関節４３を踵側へ締め付ける引っ張り強さ（例えば３６ｈｐａ）によって矯正する環状の第４布地片３４を備えている。この第４布地片３４は、足甲部分２２の後端縁に繋がる第２布地片３２の後端に対し前端の上側部分が連結され、本体布地２が存在しない無布地領域、つまり第２布地片３２の後端及び踵部分２４と足挿入口部分２６との間の無布地領域に設けられ、第２布地片３２の後端及び踵部分２４の上端縁並びに足挿入口部分２６の下端縁に対し繋げられるようにタック編みにより編成されている。そして、第４布地片３４は、踵側への距骨下関節４３の締め付けによって、足の内反と外反とをニュートラルな位置に矯正している。
【００２６】
この場合、第４布地片３４は、上下方向の幅が２０ｍｍに設定された男性用と１６ｍｍに設定された女性用とで互いのサイズが異なっているとともに、周方向の長さが１２０ｍｍに設定された男性用と１１０ｍｍに設定された女性用とで互いのサイズが異なっており、伸び率としては７０〜８０％程度であると想定される。また、第４布地片３４の第２布地片３２に対する連結部分での引っ張り強さは、第２布地片３２からの影響を受けて若干高め（例えば３７ｈｐａ）となる。
【００２７】
図６は左右の脚の骨と左右の重心線との関係を正面側から見た図を示し、（ａ）は矯正を不要とする正常な左右の脚の骨と左右の重心線との関係を説明する説明図、（ｂ）は矯正を要するＯ脚な左右の脚の骨と左右の重心線との関係を説明する説明図をそれぞれ示している。
【００２８】
図６の（ａ）に示すように、正常な左右の脚の重心線Ｌ，Ｒは、左右の大腿骨６１，６１上端の股関節６２から膝６３の中心を経て脛骨６４の中心を通っている。これに対し、図６の（ｂ）に示すように、Ｏ脚である左右の脚の重心線Ｌ，Ｒは、脛骨６４より内側にずれるので、膝６３に負担が掛かる。なお、図６中において符号６５は腓骨である。
【００２９】
したがって、本実施の形態では、環状の第１布地片３１によって各足指４のＭＰ関節４１を締め付けて前足部で横アーチが形成されると共に、環状の第２布地片３２によって各足指４のショパール関節４２を締め付けて後足部で横アーチが形成されているので、各足指４が開く原理を利用して当該各足指４のショパール関節４２が正規の位置に近付けられるように矯正される。また、左右一対の帯状の第３布地片３３，３３によって各足指４のＭＰ関節４１とショパール関節４２との間をそれぞれ締め付けて足の内外両位置で縦アーチが形成されているので、各足指４のＭＰ関節４１とショパール関節４２との間が足の内外両位置からそれぞれ近付けられるように矯正され、前後の横アーチ及び内外の縦アーチをバランスよく形成して、起立時の左右両足に均等に体重を掛け易くなる。しかも、左右双方の足のいずれか一方を前に出した姿勢では、一方の足が前重心か、他方の足が後重心かになり易い傾向となるが、特に、前側の横アーチ及び内外の縦アーチによって、双方の足の重心がニュートラルになり易くなる。つまり、例えば左足を前に出した姿勢では、左足が前重心か右足が後重心となる傾向となる一方、右足を前に出した姿勢では、左足が後重心か右足が前重心となる傾向となるが、いずれの場合であっても、前側の横アーチ及び内外の縦アーチによって、双方の足の重心がニュートラルになり易くなるということである。
更に、第２布地片３２に対し連結した環状の第４布地片３４によって距骨下関節４３が踵側へ締め付けられて矯正される。
【００３０】
このため、第１，第２布地片３１，３２による各足指４のＭＰ関節４１及びショパール関節４２での横アーチと、各第３布地片３３による各足指４のＭＰ関節４１とショパール関節４２との間での内外両位置の縦アーチと、第４布地片３４による距骨下関節４３の踵側からの締め付けとの相互作用によって、踵骨４５が起き上がり、踵骨４５の外側への倒れが内側へ戻されて足首が外反でも内反でもないニュートラルな正規の位置に近付くように正される。もしくは、踵骨４５の内側の倒れが外側へ戻され、足首が外反でも内反でもないニュートラルな正規の位置に近付くように正される。
このとき、図６の（ａ）に示すように、股関節６２を通る左右の重心線Ｌ，Ｒが膝６３の中心を経て脛骨６４の中心を通るように膝６３が内側に入る。これにより、矯正の不要な正常な足関節に悪影響を及ぼすことなく、矯正が必要な複数の足関節４１〜４３をトータルで矯正することができ、美脚効果を発揮することができる。
【００３１】
しかも、第１，第２布地片３１，３２による各足指４のＭＰ関節４１及びショパール関節４２での横アーチと、各第３布地片３３による各足指４のＭＰ関節４１とショパール関節４２との間での内外両位置の縦アーチと、第４布地片３４による距骨下関節４３の踵側からの締め付けとの相互作用によって、歩行時における過剰回内や過剰回外を減らして横揺れを少なくすることもできる。
【００３２】
また、本体布地２の無布地領域に設けた各布地片３１〜３４が、本体布地２の端縁に対し繋げられるようにタック編みにより編成されているので、本体布地２と各布地片３１〜３４とが互いに表裏方向で重なり合うことなく分離され、厚みを最小限に抑えることができる。
【００３３】
なお、本発明は前記実施の形態に限定されるものではなく、その他種々の変形例を包含している。例えば、本実施の形態では、距骨下関節４３を踵側からの締め付けによって矯正する第４布地片３４を難伸縮性布地３に備えたが、難伸縮性布地が第１〜第３布地片のみを備えた構成であってもよい。
【００３４】
また、本実施の形態では、第１〜第４布地片３１〜３４を、本体布地２が存在しない無布地領域に設け、本体布地２（爪先部分２１、足甲部分２２、足裏部分２３、踵部分２４及び足挿入口部分２６）の端縁に対しそれぞれ繋げられるようにタック編みにより編成したが、各布地片が、本体布地が存在する有布地領域に設けられ、本体布地の表面又は裏面に対し縫製や編み込みなどによって取り付けられていてもよい。この場合には、各布地片を本体布地の最適の領域に設定することが可能となる上、各布地片を本体布地の有布地領域に簡単に取り付けることができる。しかも、各布地片を既存の靴下の本体布地に適用して、足関節矯正靴下を構成することもできる。
【００３５】
また、前記実施の形態では、第１〜第４布地片３１〜３４のサイズについて述べたが、これらはあくまでも一例に過ぎず、これに限定されるものではなく、各布地片による関節の矯正やアーチの形成などが可能なサイズであれば特に限定されることはない。
【００３６】
また、前記実施の形態では、本体布地２の爪先部分２１、足甲部分２２、足裏部分２３、踵部分２４及び足挿入口部分２６並びに各難伸縮性布地３の第１〜第４布地片３１〜３４を編成する糸及び編み方について述べたが、これらはあくまでも一例に過ぎず、これに限定されるものではなく、本体布地と各布地片との関係が保たれていれば特に限定されることはない。
【００３７】
また、前記実施の形態では、第４布地片３４を環状に形成したが、第２布地片に両端が連結されて距骨下関節を踵側へ締め付ける帯状の第４布地片であってもよい。
【００３８】
更に、前記実施の形態では、第１布地片３１によって各足指４のＭＰ関節４１，４１，…を周方向から締め付けたが、図７に示すように、親指及び小指のＭＰ関節に対応する第１布地片３１の前端側をそれぞれ略３０ｍｍの略正方形状に切り欠いた切欠部３９（図７では一方のみ示す）を備え、第１布地片３１の周方向へ締め付ける引っ張り強さを周方向の両側（親指及び小指のＭＰ関節に対応する部分）においてそれぞれ半減（約２５ｈｐａ）させることで、外反母趾及び内反小趾を患う使用者にも適した足関節矯正靴下１が提供されるようにしてもよい。このとき、第１布地片３１の切欠部３９は、本体布地２の爪先部分２１を延長させることで塞いでいる。
また、親指及び小指のいずれか一方のＭＰ関節にのみ対応する第１布地片の前端側を略３０ｍｍの略正方形状に切り欠いた周方向で単一の切欠部を備え、外反母趾又は内反小趾を患う使用者に適した足関節矯正靴下として用いてもよい。その場合、足関節矯正靴下を左右逆に履くことで、外反母趾又は内反小趾を患う使用者のいずれにも適した足関節矯正靴下として用いることも可能である。
更に、爪先部分２１を切り抜いて口ゴム２５と同様に口ゴムの帯状にすることで、５本の指が自由に動くようにした足関節矯正靴下であってもよい。
【符号の説明】
【００３９】
１        足関節矯正靴下
１０      靴下本体
２        本体布地
３        難伸縮性布地
３１      第１布地片
３２      第２布地片
３３      第３布地片
３４      第４布地片
４        足指
４１      ＭＰ関節
４２      ショパール関節
４３      距骨下関節
【図１】
2018047334.tif 000003
【図２】
2018047334.tif 000004
【図３】
2018047334.tif 000005
【図４】
2018047334.tif 000006
【図５】
2018047334.tif 000007
【図６】
2018047334.tif 000008
【図７】
2018047334.tif 000009